【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
地質探査システムであって、
地表面のターゲット領域上に間隔を空けて配置された複数の音響源であって、各々が地震エネルギー波を生成するように構成される、前記複数の音響源と；
地層に形成された複数のボーリング穴に位置決めされた複数の音響センサであって、前記ボーリング穴は、前記地層の複雑な地質構造よりも下の深度に位置する地震基準面を備える地質データ基準面に達することができる十分な深さを備え、前記複数の音響センサのそれぞれは、各ボーリング穴の上部から各ボーリング穴の底部まで延びる地震センサを備える光ファイバ方向転換アセンブリを備え、前記複数のボーリング穴は、前記地震エネルギー波の空間波長ごとに少なくとも２つのボーリング穴を備える、前記複数の音響センサと；
前記複数の音響センサに通信可能に接続される制御システムであって、
前記複数の音響センサから、前記複数の音響源によって生成され前記複数の音響センサにより受信された反射音響信号に関するデータを受信する操作と；
前記受信したデータに基づいて、前記地層の地下トポロジを特定する操作と；
前記特定された地下トポロジに基づいて、前記地層の地下モデルを生成する操作と；を実行するように構成される、前記制御システムと；を備える、
地質探査システム。
【請求項２】
前記複数のボーリング穴は、前記地震エネルギー波の所望のサンプル波長に対応する規則的な間隔で形成される、
請求項１に記載のシステム。
【請求項３】
前記複数の光ファイバ方向転換アセンブリは、単一の光ファイバケーブルで共に接続される、
請求項１に記載のシステム。
【請求項４】
地下トポロジを特定する前記操作は、
時間イメージングモデルにおける反射音響信号に関連する前記データを前記制御システムによって処理する操作と；
深度イメージングモデルにおける反射音響信号に関連する前記データを前記制御システムによって処理する操作と；を備える、
請求項１に記載のシステム。
【請求項５】
前記時間イメージングモデルにおける反射音響信号に関連する前記データを処理する操作は、
反射音響信号に関連する前記データの静補正を推定する操作と；
前記推定された静補正を短波長と長波長とに分割する操作と；
反射音響信号に関連する前記データの前記推定された静補正からノイズを減衰させる操作と；
前記複数のボーリング穴から測定された垂直時間シフトに基づいて、反射音響信号に関連する前記データの前記推定された静補正を、複数の事前定義された中間深度レベルにシフトする操作と；
前記複数の音響センサの各々からの共通ギャザーを重合して、改善された信号対ノイズ比を有する複数のスーパーギャザーを生成する操作と；
前記複数の事前定義された中間深度レベルの各々にて、
前記スーパーギャザーを共通の深度ポイントに分類する操作と；
前記短波長の静補正を適用する操作と；
正規の移動速度を推定し、正規のムーブアウト及び重合を適用する操作と；
前記長波長の静補正シフトを前記地質データ基準面に適用する操作と；
前記複数の事前定義された中間深度レベルから生成された前記複数の重合を重合して最終的な重合とする操作と；
重合後時間マイグレーションを実行する操作と；を備える、
請求項４に記載のシステム。
【請求項６】
前記深度イメージングモデルにおける反射音響信号に関連する前記データを処理する操作は、
反射音響信号に関連する前記データの前記ノイズが減衰された推定された静補正の上下分離を実行する操作と；
前記反射音響信号の測定速度を補間することにより、前記地表面と前記地質データ基準面との間における地表近傍速度モデルを生成する操作と；
地質データ基準面以下の深さにおける深所速度モデルを生成する操作と；
前記地表近傍速度モデルを備える広域速度モデルに基づいて、前記地表面からの深度マイグレーションを事前に重合する操作と；を備える、
請求項５に記載のシステム。
【請求項７】
前記複数の音響源は、地表面のターゲット領域に亘り規則的で反復した間隔で配置され、前記複数の音響源は、前記地表面に位置決めされた音響源面を備える、
請求項１に記載のシステム。
【請求項８】
前記規則的で反復した間隔は１００メートルから１０００メートルの間である、
請求項７に記載のシステム。
【請求項９】
前記地層は、前記複雑な地質構造及び低起伏地質構造を備える、
請求項１に記載のシステム。
【請求項１０】
複数の音響センサを、地下地層の複雑な地質構造よりも下の深度に位置する地震基準面の下の深さまで形成された複数のボーリング穴に位置決めするステップであって、前記複数の音響センサのそれぞれは、各ボーリング穴の上部から各ボーリング穴の底部まで延びる地震センサを備える光ファイバ方向転換アセンブリを備え、前記複数のボーリング穴は、音響信号の空間波長ごとに少なくとも２つのボーリング穴を備える、ステップと；
複数の音響源を地表面又はその近傍に位置決めするステップと；
前記複数の音響源により、前記地下地層内に向け前記音響信号を放射するステップと；
前記複数の音響センサにより、前記地下地層からの反射音響信号を受信するステップと；
前記複数の音響センサによる前記反射音響信号の受信に基づいて、前記地下地層の地下トポロジを特定するステップと；
特定された前記地下トポロジに基づいて、前記地下地層の地下モデルを作成するステップと；を備える、
方法。
【請求項１１】
前記複数のボーリング穴を前記地下地層に掘削するステップを更に備える、
請求項１０に記載の方法。
【請求項１２】
地下トポロジを特定するステップは、
前記音響センサに通信可能に接続された制御システムを用いて、時間イメージングモデルにおける前記反射音響信号を処理するステップと；
前記制御システムを用いて、深度イメージングモデルにおける前記反射音響信号を処理するステップと；を備える、
請求項１０に記載の方法。
【請求項１３】
時間イメージングモデルにおける前記反射音響信号を処理するステップは、
前記反射音響信号の静補正を推定するステップと；
前記推定された静補正を短波長と長波長とに分割するステップと；
前記反射音響信号の前記推定された静補正からノイズを減衰するステップと；
前記複数のボーリング穴から測定された垂直時間シフトに基づいて、前記反射音響信号の前記推定された静補正を、複数の事前定義された中間深度レベルにシフトするステップと；
前記複数の音響センサの各々からの共通ギャザーを重合して、改善された信号対ノイズ比を有する複数のスーパーギャザーを生成するステップと；
前記複数の事前定義された中間深度レベルの各々にて、
前記スーパーギャザーを共通の深度ポイントに分類するステップと；
前記短波長の静補正を適用するステップと；
正規のムーブアウト速度を推定し、正規のムーブアウト補正及び重合を適用するステップと；
前記長波長の静補正シフトを地質データ基準面に適用するステップと；
前記複数の事前定義された中間深度レベルから生成された前記複数の重合を重合して最終的な重合とするステップと；
重合後時間マイグレーションを実行するステップと；を備える、
請求項１２に記載の方法。
【請求項１４】
前記深度イメージングモデルにおける前記反射音響信号を処理するステップは、
前記反射音響信号の前記ノイズが減衰された推定された静補正の上下分離を実行するステップと；
前記反射音響信号の測定速度を補間することにより、前記地表面と前記地質データ基準面との間における地表近傍速度モデルを生成するステップと；
地質データ基準面以下の深さにおける深所速度モデルを生成するステップと；
前記地表近傍速度モデルを備える広域速度モデルに基づいて、前記地表面からの深度マイグレーションを事前重合するステップと；を備える、
請求項１３に記載の方法。
【請求項１５】
前記複数の音響源を前記地表面又はその近傍に位置決めするステップは、前記複数の音響源を前記地表面のターゲット領域上に規則的で反復する間隔で位置決めするステップを備え、前記複数の音響源は、前記地表面に位置決めされた音響源面を備える、
請求項１０に記載の方法。
【請求項１６】
前記規則的で反復する間隔は、１００メートルから１０００メートルの間である、
請求項１５に記載の方法。
【請求項１７】
地下モデルを生成するためのコンピュータにより実施される方法であって、
ハードウェアプロセッサを用いて、複数の音響源によって生成され、複数の音響センサによって受信された反射音響信号に関連するデータを識別するステップと；
前記ハードウェアプロセッサを用いて、識別された前記データに基づいて、地層の地下トポロジを特定するステップと；
前記ハードウェアプロセッサを用いて、特定された前記地下トポロジに基づいた前記地層の地下モデルを生成するステップと；を備え、
前記複数の音響センサのそれぞれは、地下地層の複雑な地質構造よりも下の深度に位置する地震基準面の下の深さまで形成された各ボーリング穴に位置決めされ、
前記複数の音響センサのそれぞれは、地表面の各ボーリング穴の上部から各ボーリング穴の底部まで延びる地震センサを備える光ファイバ方向転換アセンブリを備え、
前記複数のボーリング穴は、前記複数の音響源によって生成された音響信号の空間波長ごとに少なくとも２つのボーリング穴を備える、
コンピュータにより実施される方法。
【請求項１８】
前記地下トポロジを特定するステップは、
前記ハードウェアプロセッサを用いて、時間イメージングモデルにおける前記反射音響信号に関連する前記データを処理するステップと；
前記ハードウェアプロセッサを用いて、深度イメージングモデルにおける前記反射音響信号に関連する前記データを処理するステップと；を備える、
請求項１７に記載のコンピュータにより実施される方法。
【請求項１９】
前記時間イメージングモデルにおける反射音響信号に関連する前記データを処理するステップは、
反射音響信号に関連する前記データの静補正を推定するステップと；
前記推定された静補正を短波長と長波長とに分割するステップと；
反射音響信号に関連する前記データの前記推定された静補正からノイズを減衰させるステップと；
前記複数のボーリング穴から測定された垂直時間シフトに基づいて、反射音響信号に関連する前記データの前記推定された静補正を複数の事前定義された中間深度レベルにシフトするステップと；
前記複数の音響センサの各々からの共通ギャザーを重合して、改善された信号対ノイズ比を有する複数のスーパーギャザーを生成するステップと；
前記複数の事前定義された中間深度レベルの各々にて、
前記スーパーギャザーを共通の深度ポイントに分類するステップと；
前記短波長の静補正を適用するステップと；
正規のムーブアウト速度を推定して、正規のムーブアウト補正と重合とを適用するステップと；
前記長波長の静補正シフトを地質データ基準面に適用するステップと；
前記複数の事前定義された中間深度レベルから生成された前記複数の重合を重合して最終的な重合とするステップと；
重合後時間マイグレーションを実行するステップと；を備える、
請求項１８に記載のコンピュータにより実施される方法。
【請求項２０】
前記深度イメージングモデルにおける反射音響信号に関連する前記データを処理するステップは、
反射音響信号に関連する前記データの前記ノイズが減衰された推定された静補正の上下分離を実行するステップと；
前記反射音響信号の測定速度を補間することにより、前記地表面と前記地質データ基準面との間における地表近傍速度モデルを生成するステップと；
地質データ基準面以下の深さにおける深所速度モデルを生成するステップと；
前記地表近傍速度モデルを備える広域速度モデルに基づいて、前記地表面からの深度マイグレーションを事前重合するステップと；を備える、
請求項１９に記載のコンピュータにより実施される方法。
【請求項２１】
前記複数の音響源は、地表面のターゲット領域上に規則的で反復した間隔で配置され、前記複数の音響源は、前記地表面に位置決めされた音響源面を備える、
請求項１７に記載のコンピュータにより実施される方法。
【請求項２２】
前記規則的で反復する間隔は、１００メートルから１０００メートルの間である、
請求項２１に記載のコンピュータにより実施される方法。
【請求項２３】
他の複数の音響センサをさらに備え、前記他の複数の音響センサは、地表面又はその近傍に位置決めされた地震センサを備える光ファイバ方向転換アセンブリを備える、
請求項１に記載のシステム。
【手続補正２】
【補正対象書類名】明細書
【補正対象項目名】０１２８
【補正方法】変更
【補正の内容】
【０１２８】
いくつかの実施の態様を説明してきた。しかしながら、本開示の技術思想及び範囲から逸脱することなく、種々の改変がなされてもよいということを理解されたい。例えば、本明細書で説明される例示の動作、方法、又はプロセスは、説明されるものよりも多くのステップまたは少ないステップを含むことができる。さらに、そのような例示的な動作、方法、またはプロセスにおけるステップは、図面で説明又は図示されたものとは異なる連続で実行されてもよい。従って、他の実施は添付の特許請求の範囲内にある。
以下、本発明の実施の態様の例を列挙する。
［第１の局面］
地質探査システムであって：
地表面のターゲット領域上に間隔を空けて配置された複数の音響源であって、各々が地震エネルギー波を生成するように構成される、前記複数の音響源と；
地層に形成された複数のボーリング穴に位置決めされた複数の音響センサであって、前記ボーリング穴は地質データ基準面に達することができる十分な深さを備える、前記複数の音響センサと；
前記複数の音響センサに通信可能に接続される制御システムであって：
前記複数の音響センサから、前記複数の音響源によって生成され前記複数の音響センサにより受信された反射音響信号に関するデータを受信する操作と；
前記受信したデータに基づいて、前記地層の地下トポロジを特定する操作と；
前記特定された地下トポロジに基づいて、前記地層の地下モデルを生成する操作と；を実行するように構成される、前記制御システムと；を備える、
地質探査システム。
［第２の局面］
前記複数のボーリング穴は、前記地震エネルギー波の所望のサンプル波長に対応する規則的な間隔で形成される、
第１の局面に記載のシステム。
［第３の局面］
各音響センサは光ファイバ音響センサを備える、
請求項１の局面に記載のシステム。
［第４の局面］
各光ファイバ音響センサは光ファイバ方向転換アセンブリを備える、
第３の局面に記載のシステム。
［第５の局面］
前記複数の光ファイバ方向転換アセンブリは、単一の光ファイバケーブルで共に接続される、
第４の局面に記載のシステム。
［第６の局面］
地下トポロジを特定する前記操作は：
時間イメージングモデルにおける反射音響信号に関連する前記データを前記制御システムによって処理する操作と；
深度イメージングモデルにおける反射音響信号に関連する前記データを前記処理システムによって処理する操作と；を備える、
第１の局面に記載のシステム。
［第７の局面］
前記時間イメージングモデルにおける反射音響信号に関連する前記データを処理する操作は：
反射音響信号に関連する前記データの静補正を推定する操作と；
前記推定された静補正を短波長と長波長とに分割する操作と；
反射音響信号に関連する前記データの前記推定される静補正からノイズを減衰させる操作と；
前記複数のボーリング穴から測定された垂直時間シフトに基づいて、反射音響信号に関連する前記データの前記推定静補正を、複数の事前定義された中間深度レベルにシフトする操作と；
前記複数の音響センサの各々からの共通ギャザーを重合して、改善された信号対ノイズ比を有する複数のスーパーギャザーを生成する操作と；
前記複数の事前定義された中間深度レベルの各々にて：
前記スーパーギャザーを共通の深度ポイントに分類する操作と；
前記短波長の静補正を適用する操作と；
正規の移動速度を推定し、正規のムーブアウト及び重合を適用する操作と；
前記長波長の静補正シフトを前記地質データ基準に適用する操作と；
前記複数の事前定義された中間深度レベルから生成された前記複数の重合を重合して最終的な重合とする操作と；
重合後時間マイグレーションを実行する操作と；を備える、
第６の局面に記載のシステム。
［第８の局面］
前記深度イメージングモデルにおける反射音響信号に関連する前記データを処理する操作は：
反射音響信号に関連する前記データの前記ノイズが減衰された推定された静補正の上下分離を実行する操作と；
前記反射音響信号の測定速度を補間することにより、前記地表面と前記地質データ基準面との間における地表近傍速度モデルを生成する操作と；
地質データ基準面以下の深さにおける深所速度モデルを生成する操作と；
前記地表近傍速度モデルを備える広域速度モデルに基づいて、前記地表面からの深度マイグレーションを事前に重合する操作と；を備える、
第７の局面に記載のシステム。
［第９の局面］
前記複数の音響源は、地表面のターゲット領域に亘り規則的で反復した間隔で配置され、前記複数の音響源は、前記地表面に位置決めされた音響源面を備える、
第１の局面に記載のシステム。
［第１０の局面］
前記規則的で反復した間隔は１００メートルから１０００メートルの間である、
第１の局面に記載のシステム。
［第１１の局面］
前記地層は、複雑な地質構造及び低起伏地質構造を備える、
第１の局面に記載のシステム。
［第１２の局面］
複数の音響センサを複数のボーリング穴に位置決めするステップと；
複数の音響源を地表面又はその近傍に位置決めするステップと；
前記複数の音響源により、地下地層内に向け音響信号を放射するステップと；
前記複数の音響センサにより、前記地下地層からの反射音響信号を受信するステップと；
前記複数の音響センサによる前記反射音響信号の受信に基づいて、前記地層の地下トポロジを特定するステップと；
特定された前記トポロジに基づいて、前記地層の地下モデルを作成するステップと；を備える、
方法。
［第１３の局面］
前記複数のボーリング穴を地層に掘削するステップであって、前記ボーリング穴の少なくとも一部の深さは、地質データ基準面に達するのに十分な深さである、ステップを更に備える、
第１２の局面に記載の方法。
［第１４の局面］
地下トポロジを特定するステップは：
前記音響センサに通信可能に接続された制御システムを用いて、時間イメージングモデルにおける前記反射音響信号を処理するステップと；
前記制御システムを用いて、深度イメージングモデルにおける前記反射音響信号を処理するステップと；を備える、
第１２の局面に記載の方法。
［第１５の局面］
時間イメージングモデルにおける前記反射音響信号を処理するステップは：
前記反射音響信号の静補正を推定するステップと；
前記推定された静補正を短波長と長波長とに分割するステップと；
前記反射音響信号の前記推定された静補正からノイズを減衰するステップと；
前記複数のボーリング穴から測定された垂直時間シフトに基づいて、前記反射音響信号の前記推定静補正を、複数の事前定義された中間深度レベルにシフトするステップと；
前記複数の音響センサの各々からの共通ギャザーを重合して、改善された信号対ノイズ比を有する複数のスーパーギャザーを生成するステップと；
前記複数の事前定義された中間深度レベルの各々にて：
前記スーパーギャザーを共通の深度ポイントに分類するステップと；
前記短波長の静補正を適用するステップと；
正規のムーブアウト速度を推定し、正規のムーブアウト補正及び重合を適用するステップと；
前記長波長の静補正シフトを前記地質データ基準面に適用するステップと；
前記複数の事前定義された中間深度レベルから生成された前記複数の重合を重合して最終的な重合とするステップと；
重合後時間マイグレーションを実行するステップと；を備える、
第１４の局面に記載の方法。
［第１６の局面］
前記深度イメージングモデルにおける前記反射音響信号を処理するステップは：
前記反射音響信号の前記ノイズが減衰された推定された静補正の上下分離を実行するステップと；
前記反射音響信号の測定速度を補間することにより、前記地表面と前記地質データ基準面との間における地表近傍速度モデルを生成するステップと；
地質データ基準面以下の深さにおける深所速度モデルを生成するステップと；
前記地表近傍速度モデルを備える広域速度モデルに基づいて、前記地表面からの深度マイグレーションを事前重合するステップと；を備える、
第１５の局面に記載の方法。
［第１７の局面］
前記複数の音響源を前記地表面上又はその近傍に位置決めするステップは、前記複数の音響源を前記地表面のターゲット領域上に規則的で反復する間隔で位置決めするステップを備え、前記複数の音響源は、前記地表面に位置決めされた音響源面を備える、
第１２の局面に記載の方法。
［第１８の局面］
前記規則的で反復する間隔は、１００メートルから１０００メートルの間である、
第１７の局面に記載の方法。
［第１９の局面］
地下モデルを生成するためのコンピュータにより実施される方法であって：
ハードウェアプロセッサを用いて、複数の音響源によって生成され、複数の音響センサによって受信された反射音響信号に関連するデータを識別するステップと；
前記ハードウェアプロセッサを用いて、識別された前記データに基づいて、前記地層の地下トポロジを特定するステップと；
前記ハードウェアプロセッサを用いて、特定された前記地下トポロジに基づいた地層の地下モデルを生成するステップと；を備える、
地下モデルを生成するためのコンピュータにより実施される方法。
［第２０の局面］
前記地下トポロジを特定するステップは：
前記ハードウェアプロセッサを用いて、時間イメージングモデルにおける前記反射音響信号に関連する前記データを処理するステップと；
前記ハードウェアプロセッサを用いて、深度イメージングモデルにおける前記反射音響信号に関連する前記データを処理するステップと；を備える、
第１９の局面に記載のコンピュータにより実施される方法。
［第２１の局面］
前記時間イメージングモデルにおける反射音響信号に関連する前記データを処理するステップは：
反射音響信号に関連する前記データの静補正を推定するステップと；
前記推定された静補正を短波長と長波長とに分割するステップと；
反射音響信号に関連する前記データの前記推定される静補正からノイズを減衰させるステップと；
前記複数のボーリング穴から測定された垂直時間シフトに基づいて、反射音響信号に関連する前記データの前記推定された静補正を複数の事前定義された中間深度レベルにシフトするステップと；
前記複数の音響センサの各々からの共通ギャザーを重合して、改善された信号対ノイズ比を有する複数のスーパーギャザーを生成するステップと；
前記複数の事前定義された中間深度レベルの各々にて：
前記スーパーギャザーを共通の深度ポイントに分類するステップと；
前記短波長の静補正を適用するステップと；
正規のムーブアウト速度を推定して、正規のムーブアウト補正と重合とを適用するステップと；
前記長波長の静補正シフトを前記地質データ基準面に適用するステップと；
前記複数の事前定義された中間深度レベルから生成された前記複数の重合を重合して最終的な重合とするステップと；
重合後時間マイグレーションを実行するステップと；を備える、
第２０の局面に記載のコンピュータにより実施される方法。
［第２２の局面］
前記深度イメージングモデルにおける反射音響信号に関連する前記データを処理するステップは：
反射音響信号に関連する前記データの前記ノイズが減衰された推定された静補正の上下分離を実行するステップと；
前記反射音響信号の測定速度を補間することにより、前記地表面と前記地質データ基準面との間における地表近傍速度モデルを生成するステップと；
地質データ基準面以下の深さにおける深所速度モデルを生成するステップと；
前記地表近傍速度モデルを備える広域速度モデルに基づいて、前記地表面からの深度マイグレーションを事前重合するステップと；を備える、
第２１の局面に記載のコンピュータにより実施される方法。